(57)【要約】【課題】冷蔵庫の扉が開状態となったときに非通電状態となる表示装置において、再通電時に適切な画面を表示することのできる構成を提供する。【解決手段】冷蔵庫１は、表示装置２０を有する冷蔵室扉１０と、本体部２とを備えている。表示装置２０は、表示パネル２１と、表示制御部２２と、表示装置側メモリ２６と、冷蔵室扉１０が閉状態のときに、本体部２から供給される電力を受ける受電部２３と、冷蔵室扉１０が閉状態のときに、本体部２との間で情報通信を行う扉側通信インターフェイス２４とを備えている。表示装置側メモリ２６は、表示パネル２１に表示される画面を、当該画面を識別するための識別情報と対応付けて記憶する。本体部２は、給電部３２と、本体側通信インターフェイス３３と、本体側メモリ３４とを備えている。本体側メモリ３４は、表示装置２０から送信される識別情報を記憶する。【選択図】図４
2019045125.tif 000002
【特許請求の範囲】
【請求項１】
表示装置を有する扉と、本体部とを備えている冷蔵庫であって、
前記表示装置は、
表示パネルと、
前記表示パネルに表示される画面の処理を行う表示制御部と、
前記表示パネルに表示される画面を、当該画面を識別するための識別情報と対応付けて記憶する表示装置側メモリと、
前記扉が閉状態のときに、前記本体部から供給される電力を受ける受電部と、
前記扉が閉状態のときに、前記本体部との間で情報通信を行う扉側通信インターフェイスと
を備えており、
前記本体部は、
前記表示パネルへ電力を供給する給電部と、
前記表示パネルとの間で情報通信を行う本体側通信インターフェイスと、
前記表示装置から送信される前記識別情報を記憶する本体側メモリと
を備えている、冷蔵庫。
【請求項２】
前記表示制御部は、前記表示パネルに表示される画面の切り換えを行うときに、切り換え後に表示される画面に対応付けられた識別情報を前記本体部へ送信する、請求項１に記載の冷蔵庫。
【請求項３】
前記扉が開状態から閉状態に移行したときに、前記表示パネルに表示可能な前記冷蔵庫の設定情報と、前記本体側メモリに記憶されている識別情報とが、前記表示装置へ送信される、請求項１または２に記載の冷蔵庫。
【請求項４】
前記本体側メモリには、前記表示パネルに表示可能な前記冷蔵庫の設定情報が記憶されており、
前記設定情報は、所定期間ごとに前記表示装置へ送信される、請求項１から３の何れか１項に記載の冷蔵庫。
【請求項５】
前記表示装置側メモリには、前記識別情報が前記冷蔵庫の運転モードと対応付けて記憶されている、
請求項１から４のいずれか１項に記載の冷蔵庫。
【発明の詳細な説明】
【技術分野】
【０００１】
本発明は、扉に表示装置を備えている冷蔵庫に関する。
【背景技術】
【０００２】
近年、電子部品の小型化に伴って、表示パネル、および操作パネルなどのような配線基板を有する電子部品を冷蔵庫に設置することが技術的に可能となっている。また、情報通信技術の進歩に伴って、冷蔵庫などの生活家電を、インターネット接続させることへの要望が高まってきている。
【０００３】
このような流れを受けて、冷蔵庫の扉に、表示パネル、操作パネルなどを備えた表示装置を設置することが試みられている。表示装置を扉に配置する構成では、本体側から扉に対して電源を供給するとともに、本体側の制御部から扉側の表示装置へ設定情報などの情報を送信することが求められる。
【０００４】
しかし、本体部から扉に対して、有線の通電手段および情報通信手段を設けることは、その構成上困難が伴うことがある。特に、左右両側の端部から扉を開閉することのできる冷蔵庫では、本体部と扉との間に常時結線状態の通電手段および通信手段を配置することが不可能である。そこで、例えば、特許文献１に開示されているように、冷蔵庫の扉に対して本体から非接触で電力および信号を伝達する装置が提案されている。
【先行技術文献】
【特許文献】
【０００５】
【特許文献１】特開２００１−１２８３９１号公報
【発明の概要】
【発明が解決しようとする課題】
【０００６】
上記のような非接触で電力および信号を伝達する構成を有する冷蔵庫では、例えば、ユーザが表示装置を操作中に別のユーザが扉を開ける場合のように、想定外の状況で扉が開けられると、表示装置への通電および情報通信が不用意に切断されることになる。このような場合、表示装置の制御部は強制終了される。そして、後に扉が閉じられると、表示装置への通電は再開され、制御部は動作可能となる。しかし、強制終了後に起動した場合、表示装置は初期状態から動作を開始するため、表示パネルには、通常、表示装置の初期画面が表示される。そのため、ユーザは、所望の操作を行うために、扉が開けられる直前の画面を再度表示させる作業を行う必要があり、使用時の利便性が損なわれる。
【０００７】
そこで、本発明では、冷蔵庫の扉が開状態となったときに非通電状態となる表示装置において、再通電時に適切な画面を表示することのできる構成を提供することを目的とする。
【課題を解決するための手段】
【０００８】
本発明の一局面にかかる冷蔵庫は、表示装置を有する扉と、本体部とを備えている。この冷蔵において、前記表示装置は、表示パネルと、前記表示パネルに表示される画面の処理を行う表示制御部と、前記表示パネルに表示される画面を、当該画面を識別するための識別情報と対応付けて記憶する表示装置側メモリと、前記扉が閉状態のときに、前記本体部から供給される電力を受ける受電部と、前記扉が閉状態のときに、前記本体部との間で情報通信を行う扉側通信インターフェイスとを備えている。また、前記本体部は、前記表示パネルへ電力を供給する給電部と、前記表示パネルとの間で情報通信を行う本体側通信インターフェイスと、前記表示装置から送信される前記識別情報を記憶する本体側メモリとを備えている。
【０００９】
上記の本発明の一局面にかかる冷蔵庫において、前記表示制御部は、前記表示パネルに表示される画面の切り換えを行うときに、切り換え後に表示される画面に対応付けられた識別情報を前記本体部へ送信してもよい。
【００１０】
上記の本発明の一局面にかかる冷蔵庫では、前記扉が開状態から閉状態に移行したときに、前記表示パネルに表示可能な前記冷蔵庫の設定情報と、前記本体側メモリに記憶されている識別情報とが、前記表示装置へ送信されてもよい。
【００１１】
上記の本発明の一局面にかかる冷蔵庫において、前記本体側メモリには、前記表示パネルに表示可能な前記冷蔵庫の設定情報が記憶されており、前記設定情報は、所定期間ごとに前記表示装置へ送信されてもよい。
【００１２】
上記の本発明の一局面にかかる冷蔵庫において、前記表示装置側メモリには、前記識別情報が前記冷蔵庫の運転モードと対応付けて記憶されていてもよい。
【発明の効果】
【００１３】
本発明の一局面にかかる冷蔵庫によれば、扉が一旦開けられた後に閉じられ、表示装置への通電が再開されたときに、適切な画面（例えば、扉が開けられる直前の画面など）を表示することができる。
【図面の簡単な説明】
【００１４】
【図１】本発明の一実施形態に係る冷蔵庫の外観構成を示す斜視図である。
【図２】図１に示す冷蔵庫の本体部上方および冷蔵室扉の内部構成を模式的に示す斜視図である。
【図３】図２に示す冷蔵庫の冷蔵室扉を開けた状態を示す斜視図である。
【図４】図１に示す冷蔵庫の内部構成を示すブロック図である。
【図５】図１に示す冷蔵庫の表示パネルに表示される画面の一例を示す模式図である。
【図６】図１に示す冷蔵庫の表示パネルに表示される一連の遷移画面の一例を示す模式図である。
【図７】図１に示す冷蔵庫の表示パネルに表示される一連の遷移画面の一例を示す模式図である。
【図８】図１に示す冷蔵庫の表示パネルに表示される一連の遷移画面の一例を示す模式図である。
【図９】第１の実施形態に係る冷蔵庫の表示装置内のメモリに格納されているテーブルの一例を示す模式図である。
【図１０】第１の実施形態に係る冷蔵庫の本体部内のメモリに格納されているテーブルの一例を示す模式図である。
【図１１】第１の実施形態に係る冷蔵庫において本体部から表示装置へ送信される冷蔵庫の設定情報に関するデータの一例を示す模式図である。
【図１２】第１の実施形態に係る冷蔵庫の表示装置の表示制御部において行われる処理の一例（本体部へのデータ送信処理）の流れを示すフローチャートである。
【図１３】第１の実施形態に係る冷蔵庫の表示装置の表示制御部において行われる処理（本体部からのデータ取得処理）の流れを示すフローチャートである。
【図１４】第２の実施形態に係る冷蔵庫の表示装置の表示制御部において行われる処理（本体部からのデータ取得処理）の流れを示すフローチャートである。
【図１５】本発明の第３の実施形態に係る冷蔵庫の表示装置内のメモリに格納されているテーブルの一例を示す模式図である。
【図１６】第３の実施形態に係る冷蔵庫の本体部内のメモリに格納されているテーブルの一例を示す模式図である。
【図１７】第３の実施形態に係る冷蔵庫の表示装置の表示制御部において行われる処理（本体部からのデータ取得処理）の流れを示すフローチャートである。
【図１８】本発明の第４の実施形態に係る冷蔵庫の表示装置内のメモリに格納されているテーブルの一例を示す模式図である。
【図１９】第４の実施形態に係る冷蔵庫の表示装置の表示制御部において行われる処理（本体部への情報伝達処理）の流れを示すフローチャートである。
【発明を実施するための形態】
【００１５】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１６】
〔第１の実施形態〕
＜冷蔵庫の全体構成＞
本実施形態では、冷蔵室の扉の表面に表示装置が設置されている冷蔵庫を例に挙げて説明する。図１には、本実施形態にかかる冷蔵庫１の外観を示す。冷蔵庫１は、主として、本体部２と、冷蔵室扉１０などの各種扉とで構成されている。本体部２は、断熱箱体でその外形が形成されている。冷蔵庫１は、上段に第１の冷蔵室３、中段に第２の冷蔵室（野菜室）４、および下段に冷凍室５を備えている。
【００１７】
なお、冷蔵庫１における各貯蔵室の構成や配置は、上記のものに限定はされない。各貯蔵室の構成および配置は、冷蔵庫の容量、用途などに応じて適宜変更することができる。
【００１８】
上段の第１の冷蔵室３には、冷蔵室扉（扉）１０が設けられている。中段の第２の冷蔵室４および下段の冷凍室５には、引き出し式の扉がそれぞれ設けられている。冷蔵室扉１０は、左右何れの端部からも開閉することのできる両開き式の扉である。そのため、冷蔵室扉１０の左右両側の端部は、取っ手（具体的には、左側取っ手１１ａおよび右側取っ手１１ｂ）がそれぞれ設けられている。
【００１９】
なお、冷蔵庫１における各扉の構成は、上記のものに限定はされない。各貯蔵室の扉は、各貯蔵室の構造、用途、位置などに応じて、例えば、左右両側から開閉可能な方式、左右の何れかの端部から開閉する方式、観音開き方式、引き出し方式などを適宜採用することができる。
【００２０】
本実施形態では、扉が設けられている面を冷蔵庫の前面（正面）とする。そして、前面を基準にして、冷蔵庫１を通常の状態で設置した場合に存在する位置に基づいて、冷蔵庫１の本体部２の各面を、上面、側面、背面、及び底面とする。
【００２１】
冷蔵室扉１０には、表示装置２０が設置されている。表示装置２０は、例えば、液晶ディスプレイ、有機ＥＬディスプレイなどで構成することができる。
【００２２】
表示装置２０には、例えば、冷蔵庫の運転情報及び制御情報、庫内在庫情報、カレンダ情報、レシピ情報、伝言情報などを表示させることができる。また、冷蔵庫１内に小型カメラが備えられている場合には、小型カメラで撮影された庫内の映像を表示させることもできる。また、表示装置２０がインターネット接続されている場合には、インターネットを介して得られる各種ホームページなどの情報を表示させることもできる。また、表示装置２０の表示面（表示パネル２１）や縁部などにタッチセンサ等の入力デバイス（操作部２５）を設けることで、表示内容に沿った入力操作を表示装置２０から行うこともできる。
【００２３】
＜表示装置の構成＞
続いて、冷蔵室扉１０に設置された表示装置２０のより具体的な構成について、図２から図４を参照しながら説明する。図２および図３には、冷蔵庫１の上方部分の本体部２および冷蔵室扉１０の内部構成を示す。図２では、冷蔵室扉１０が閉じられた状態を示す。図３では、冷蔵室扉１０が開けられた状態を示す。図４には、表示装置２０および冷蔵庫１の内部構成を示す。なお、図４では、冷蔵庫１の内部の構成のうち、表示装置２０との通信および表示装置２０の制御に関連する構成要素を示す。
【００２４】
図４に示すように、表示装置２０は、主な構成要素として、表示パネル２１、表示制御部２２、受電部２３、通信インターフェイス（扉側通信インターフェイス）２４、操作部２５、メモリ（表示装置側メモリ）２６、およびタイマ２７などを有している。これらの各構成要素は、冷蔵室扉１０内に設置されている。
【００２５】
表示パネル２１は、冷蔵室扉１０の前面に配置されている。表示パネル２１には、表示制御部２２からの制御信号にしたがって画面が表示される。表示パネル２１は、例えば、液晶表示素子、または有機ＥＬ素子などの表示素子で構成されている。
【００２６】
表示制御部２２は、表示パネル２１の裏面側の冷蔵室扉１０の内部に配置されている。表示制御部２２は、表示パネル２１に表示される画像のデータ処理、および、表示パネル２１に表示される画像の制御などを行う。
【００２７】
受電部２３は、本体部２から供給される電力を受ける部材である。受電部２３には、受電コイルおよび整流回路などが備えられている。本実施形態では、受電部２３は、冷蔵室扉１０の上端部近傍に配置されている。受電部２３は、表示制御部２２と信号線２３ａで接続されている。冷蔵室扉１０が閉状態のときに、受電部２３内の受電コイルは、本体部２側の給電部３２内の発振コイルと隣接して対向するように配置される（図２参照）。そして、給電部３２内の発振コイルと受電部２３内の受電コイルとの間に電磁誘導結合が生じ、受電コイルに交流が誘起される。これにより、本体部２から表示装置２０へ電源が供給される。このように、表示装置２０には、本体部２から非接触（無線）で電源が供給される。
【００２８】
通信インターフェイス２４は、本体部２側の通信インターフェイス３３との間で情報通信を行う。本実施形態では、通信インターフェイス２４は、冷蔵室扉１０の上端部近傍に配置されている。通信インターフェイス２４は、表示制御部２２と信号線２４ａで接続されている。冷蔵室扉１０が閉状態のときに、通信インターフェイス２４は、本体部２側の通信インターフェイス３３と隣接して対向するように配置される（図２参照）。通信インターフェイス２４内には、赤外線の受光部と発光部とが設けられており、赤外線通信によって、本体部２との間でデータのやり取りを行う。なお、これは一例であり、本体部２と表示装置２０との間の情報通信の方法はこれに限定されない。
【００２９】
操作部２５は、例えば、表示パネル２１内に搭載されたタッチセンサなどで実現される。操作部２５からは、ユーザが表示装置２０に対して入力操作を行うことができる。操作部２５をタッチセンサ方式とすることにより、ユーザは、表示パネル２１の表示内容に沿った入力操作を行うことができる。
【００３０】
メモリ２６は、ＲＯＭ（read only memory）及びＲＡＭ（Random Access Memory）を含む。メモリ２６は、表示装置２０の動作プログラムや設定データを記憶するとともに表示制御部２２による演算結果を一時記憶する。また、本実施形態では、メモリ２６内のＲＯＭは、例えば、図９に示す画面識別テーブル５１などのような形式で、表示パネル２１に表示される画面を、当該画面を識別するための識別情報と対応付けて記憶する。ここで、識別情報とは、任意のタイミングで表示パネル２１に表示される各画面の種類を識別するために各画面に対応付けられた情報である。また、本実施形態では、例えば、図１１に示す冷蔵庫１の現在の設定情報などは、メモリ２６内のＲＡＭに記憶される。
【００３１】
タイマ２７は、必要に応じて、表示制御部２２内で行われる処理の時間、表示装置２０内の各構成部材の動作時間などを計測する。
【００３２】
また、本体部２には、表示装置２０における画像表示の動作に関連する構成要素として、制御部３１、給電部３２、通信インターフェイス（本体側通信インターフェイス）３３、メモリ（本体側メモリ）３４、タイマ３５などが備えられている。また、本体部２には、冷蔵室扉１０の開閉状態を検知するための扉スイッチ１３が設けられている（図３参照）。扉スイッチ１３は、冷蔵室扉１０の開閉状態を検知できる位置に配置されている。
【００３３】
制御部３１は、本体部２の断熱箱体の内部に配置されている（図２参照）。制御部３１は、信号線を介して、冷蔵庫１内の冷凍サイクルの各構成部材と接続されている。制御部３１は、ユーザの指示、および各貯蔵室内の温度を検出する温度計等の各種のセンサの検出信号に基づいて、冷凍サイクルを制御し、冷蔵庫内の冷却を行う。
【００３４】
給電部３２は、表示装置２０へ電力を供給する部材である。給電部３２は、制御部３１と信号線３２ａで接続されている。給電部３２には、発振コイルなどが備えられている。本実施形態では、給電部３２は、本体部２の上端部の前面部近傍に配置されている。上述したように、冷蔵室扉１０が閉状態のときに、給電部３２内の発振コイルは、冷蔵室扉１０側の受電部２３内の受電コイルと隣接して対向するように配置される（図２参照）。
【００３５】
通信インターフェイス３３は、冷蔵室扉１０側の通信インターフェイス２４との間で情報通信を行う。通信インターフェイス３３は、制御部３１と信号線３３ａで接続されている。本実施形態では、通信インターフェイス３３は、本体部２の上端部の前面部近傍に配置されている。上述したように、冷蔵室扉１０が閉状態のときに、通信インターフェイス３３は、冷蔵室扉１０側の通信インターフェイス２４と隣接して対向するように配置される（図２参照）。通信インターフェイス３３の内部構成は、通信インターフェイス２４の内部構成と同様の構成を適用できる。
【００３６】
メモリ３４は、ＲＯＭ（read only memory）及びＲＡＭ（Random Access Memory）を含む。メモリ３４は、冷蔵庫１内の動作プログラムや設定データを記憶するとともに制御部３１による演算結果を一時記憶する。また、本実施形態では、メモリ３４は、表示装置２０から任意のタイミングで送信される識別情報を順次記憶する。
【００３７】
タイマ３５は、必要に応じて、制御部３１内で行われる処理の時間、冷蔵庫１内の各構成部材の動作時間などを計測する。
【００３８】
なお、冷蔵室扉１０側の受電部２３と本体部２側の給電部３２との給電方法は、上記の様な非接触給電に限定されない。例えば、冷蔵室扉１０側及び本体部２側に備えた端子が、冷蔵室扉１０が閉状態のときに接触して有線給電する構成であってもよい。冷蔵室扉１０側の通信インターフェイス２４及び本体部２側の通信インターフェイス３３についても同様に、端子間の接触による有線通信であってもよい。
【００３９】
＜表示装置における画面表示について＞
続いて、表示装置２０の表示パネル２１に表示される画面の例について図５から図８を参照しながら説明する。図５には、表示パネル２１に表示される初期画面（ロック画面）の一例を示す。また、図６から図８には、表示パネル２１に表示される画面の遷移（画面の切り換わり）の例を示す。画面の遷移は、ユーザによって操作部２５への入力が行われた場合などに行われる。
【００４０】
図６に示す左側の画面例は、図５にＡで示す「ホーム」ボタンが押された場合に表示されるホーム画面である。また、このホーム画面において、Ａで示す「節電」ボタンが押されると、例えば、図６の右側の画面へ切り換わる。また、図６の右側の画面において、Ｂで示す「戻る」ボタンが押されると、左側のホーム画面に切り換わる。
【００４１】
また、図７に示す一連の画面は、冷蔵庫１を購入したときに行われる初期設定時に表示される一連の遷移画面の例である。この初期設定時の冷蔵庫１のモードは、例えば、ウエルカムモードと呼ばれる。図７に示す例では、左側から順に、初期設定時の画面遷移の例を示している。図７に示すように、画面番号：０１の画面においてＡで示される「便利設定」ボタンが押されると、画面番号：０２の画面に切り換わる。画面番号：０２の画面では、電動ドアの設定のＯＮ／ＯＦＦを行うことができる。また、画面番号：０２の画面においてＢで示される「次へ」のボタンが押されると、画面番号：０３の画面に切り換わる。画面番号：０２の画面では、節電モードの設定のＯＮ／ＯＦＦを行うことができる。
【００４２】
また、図８には、冷蔵庫１の製氷室内の清掃手順を説明する一連の画面を示す。この画面は、例えば、冷蔵庫１において製氷室皿の清掃モードが選択された場合に表示される。図８に示す例では、左側から順に、製氷皿清掃時の画面遷移の例を示している。図８に示すように、画面番号：０１の画面においてＡで示される「次へ」のボタンが押されると、画面番号：０２の画面に切り換わる。また、画面番号：０２の画面においてＢで示される「開始」のボタンが押されると、画面番号：０３の画面に切り換わる。そして、画面番号：０３の画面が表示された場合には、所定の時間が経過した後に、画面番号：０４の画面に切り換わる。
【００４３】
上記のような画面の切り換わりは、表示装置２０内の表示制御部２２によって制御される。また、表示制御部２２は、表示パネル２１の画面の表示制御を行うにあたって、メモリ２６内に格納されている各種画像データ、各種設定データ、および動作プログラムを利用する。
【００４４】
図９には、表示パネル２１に表示される画面に関連して、メモリ２６に格納されているデータの一例（画面識別テーブル５１）を示す。図９に示す画面識別テーブル５１では、表示パネル２１に表示される各画面が、画面を識別するための識別ＩＤ（識別情報）と対応付けて記憶されている。なお、図５から図８に示す各表示画面には、「ＩＤ：０００」などのように、画面識別テーブル５１で記憶されている識別ＩＤが示されている。
【００４５】
図９に示すように、画面識別テーブル５１には、各画面の識別ＩＤとともに、画面の種類、モード、画面番号などの情報が記憶されている。本実施形態では、表示パネル２１に表示される全種類の画面データに対して、一つずつ識別ＩＤが割り当てられている。つまり、例えば、図７および図８に示すような一連の遷移画面のそれぞれに対して異なる識別ＩＤが付けられている。
【００４６】
なお、本実施形態の画面識別テーブル５１には、例えば、識別ＩＤ：００２の画面（図６参照）や識別ＩＤ０１２の画面（図７参照）のように、冷蔵庫１内の各種モードの設定変更を行う画面において、入（ＯＮ）／切（ＯＦＦ）何れの設定となっているかの情報については含まれていない。これにより、画面識別テーブルが、入（ＯＮ）／切（ＯＦＦ）の設定状態を含む場合と比較して、画面ごとに割り当てる識別ＩＤの個数を減らすことができる。
【００４７】
なお、識別ＩＤの割り当て方式については、種々の方法を採用することができる。また、図９に示す画面識別テーブル５１は一例であり、テーブルに含まれる情報は、図９に示すものに限定はされない。
【００４８】
メモリ２６内に、上記のような画面識別テーブル５１が格納されていることで、表示制御部２２は、識別ＩＤが決まると、画面識別テーブル５１を参照して識別ＩＤに該当する表示画面を決定するこことができる。そのため、例えば一旦表示装置２０への給電が停止した後に、再度表示装置２０への給電が開始されたときに、表示制御部２２は、給電を停止する直前に表示パネル２１に表示されていた画面の識別ＩＤの情報を得ることで、給電再開後に、給電停止前の画面を読み出して表示パネル２１へ表示させることができる。
【００４９】
＜表示装置と冷蔵庫の本体部との通信制御について＞
続いて、本実施形態の冷蔵庫１において、表示装置２０と本体部２との間で行われるデータの送受信について、図９から図１３を参照しながら説明する。図１０は、表示パネル２１に表示される画面に関連して、本体部２のメモリ３４に格納されているデータの一例（画面情報テーブル５２）を示す。図１１は、冷蔵庫１の設定情報に関するデータ一例（設定情報テーブル５３）を示す。この設定情報テーブル５３は、本体部２から表示装置２０へ送信される。
【００５０】
図１２は、表示装置２０から本体部２へのデータ送信処理の流れを示すフローチャートである。図１３は、本体部２から表示装置２０へのデータ送信処理の流れを示すフローチャートである。なお、以下では、図１２および図１３に示す処理が、表示制御部２２からの指令にしたがって実行される例について説明する。
【００５１】
上述したように、冷蔵室扉１０に設置されている表示装置２０に対しては、本体部２から非接触で電力および信号（データ）が供給される。本体部２から表示装置２０への電力供給は、給電部３２と受電部２３とが近接した状態、すなわち、冷蔵室扉１０が閉じられた状態のときに行われ、給電部３２と受電部２３とが離間した状態、すなわち、冷蔵室扉１０が開けられた状態のときは行われない。同様に、本体部２と表示装置２０との間のデータ通信は、互いの通信インターフェイス３３および２４が近接した状態、すなわち、冷蔵室扉１０が閉じられた状態のときに行われ、互いの通信インターフェイス３３および２４が離間した状態、すなわち、冷蔵室扉１０が開けられた状態のときは行われない。
【００５２】
そのため、ユーザが表示パネル２１の操作部２５を操作している途中で、不意に冷蔵室扉１０が開けられると、表示装置２０への給電およびデータ通信が予期せず遮断される。その後、冷蔵室扉１０を閉じると表示装置２０への給電は再開される。このように、表示装置２０への給電が予期せず停止されることがあり、表示装置２０の不揮発性メモリに、表示していた画面についての情報を書き込んでいるタイミングで給電が停止されると、不揮発性メモリの内容が破損するおそれがある。そのため、表示装置２０の不揮発性メモリに停止前に表示していた画面についての情報を記憶させることで、表示パネル２１に給電が停止する前の画面を表示させることが困難となる。
【００５３】
そこで、本実施形態にかかる冷蔵庫１では、表示パネル２１が表示している画面に関する情報（識別ＩＤなど）を、本体部２側へ随時送信するようにしている。本体部２へ送信された表示パネル２１の表示画面に関する情報は、例えば、画面情報テーブル５２（図１０参照）のような形式で、本体部２内のメモリ３４に記憶される。そして、例えば、表示パネル２１の画面が切り換わるタイミングで、切り換わり後の表示画面に関する情報が、本体部２側へ送信される。これにより、本体部２内のメモリ３４内のデータ（画面情報テーブル５２）は更新される。
【００５４】
画面情報テーブル５２には、表示パネル２１に表示される画面に対応する識別ＩＤが記憶されている。例えば、図１０に示す画面情報テーブル５２の例では、表示装置２０から送信される識別ＩＤを、受信日時が最新のものから順に複数個記憶されている。このように、表示装置２０から送信される識別ＩＤを複数個記憶していることで、万一、最新の識別ＩＤの送信時に送信エラーが発生した場合などに、一つ前の識別ＩＤを読み出すことができる。但し、これは一例であり、本発明はこれに限定されない。本体部２側のメモリ３４には、表示装置２０から送信された最新の識別ＩＤのみが少なくとも記憶されていればよい。
【００５５】
また、本体部２から表示装置２０へは、冷蔵庫１の現在の設定情報が所定のタイミングで送信されて表示装置２０のメモリ２６のＲＡＭに格納される。表示装置２０へ送信された設定情報は、本体部２のメモリ３４内に格納されている情報である。表示制御部２２は、メモリ２６内の設定情報を参照して必要な情報を引き出し、表示パネル２１に表示される画面に該当する設定情報を盛り込む。
【００５６】
図１１には、本体部２から表示装置２０へ送信される設定情報に関するデータの一例（設定情報テーブル５３）を示す。例えば、図５に示す初期画面が表示される際には、表示制御部２２は、設定情報テーブル５３内の時刻情報を読み出し、表示パネル２１の画面に時刻を表示する。
【００５７】
設定情報テーブル５３は、例えば、表示装置２０が通電を開始したタイミングで本体部２から送信される。また、冷蔵庫１内の制御部３１によって冷蔵庫１の各種設定情報が変更されたタイミングでも、設定情報テーブル５３は表示装置２０へ送信される。
【００５８】
また、設定情報テーブル５３は、所定期間ごと（定期的）に表示装置２０へ送信されてもよい。この場合、例えば、表示装置２０側の表示制御部２２が、本体部２に対して設定情報テーブル５３の送信を要求する。これにより、表示装置２０の表示パネル２１には、冷蔵庫１の設定情報の変更に的確に連動した画面を表示させることができる。
【００５９】
ここで、表示装置２０から本体部２に対して、表示パネル２１の表示画面に対応した識別ＩＤを送信する方法について、図１２を参照しながら説明する。
【００６０】
先ず、表示装置２０の表示制御部２２は、表示パネル２１に画面が表示されているか否かを判定する（ステップＳ１２）。なお、冷蔵室扉１０が閉状態（すなわち、表示装置２０へ通電が行われている状態）であっても、冷蔵庫１の周囲に人がいない場合や表示パネル２１への操作が一定時間行われない場合には、表示装置２０は待機状態となって、表示パネル２１に画面は表示されない。冷蔵庫１に人が近づいたり、表示パネル２１にユーザが触れたりした場合に、表示パネル２１は点灯し、画面の表示を行う。
【００６１】
表示パネル２１に画面が表示されると（ステップＳ１２でＹＥＳ）、表示制御部２２は、画面遷移の指示が出されたか否かを判定する（ステップＳ１３）。画面遷移の指示は、例えば、ユーザが操作部２５の所定のボタンを押した場合に出される。例えば、図５に示す初期画面において、Ａで示される「ホーム」ボタンが押されると、図６の左側に示すホーム画面へ移行する旨の指示が出される。また、例えば、図８の画面番号：０３から画面番号：０４への遷移のように、ユーザが操作部２５を操作していない場合であっても、所定の時間が経過した場合に画面遷移が発生することがある。このような場合にも、表示制御部２２は、画面遷移の指示があったと判定する。
【００６２】
画面遷移の指示があった場合には（ステップＳ１３でＹＥＳ）、表示制御部２２は、遷移後の画面の識別ＩＤを本体部２へ送信する（ステップＳ１４）。本体部２へ送信された識別ＩＤは、メモリ３４へ送られる。ここで、メモリ３４内の画面情報テーブル５２の内容が更新される。
【００６３】
その後、表示制御部２２は、表示パネル２１の画面を、送信した識別ＩＤに該当する画面へ遷移させる（ステップＳ１５）。
【００６４】
このように、表示パネル２１の画面の遷移が行われる前に、遷移後の画面の識別ＩＤを本体部２へ送信することで、画面遷移の指示から遷移後の画面の識別ＩＤの本体部２への送信の遅延を最小とすることができる。したがって、ユーザが画面遷移を指示した直後に冷蔵室扉１０を開けた場合であっても、遷移後の画面の識別ＩＤの本体部２への送信が間に合わないという弊害を低減させることができる。これにより、冷蔵室扉１０を閉めて表示装置２０が表示可能な状態となったときに、画面遷移前の画面が呼び出されて表示されてしまうという可能性を減らすことができる。
【００６５】
次に、表示制御部２２は、遷移後の表示画面において、操作部２５が操作されることによって冷蔵庫１の設定情報に変更の指示があったか否かを判定する（ステップＳ１６）。なお、ステップＳ１３において、画面遷移の指示がなかった場合には（ステップＳ１３でＮＯ）、表示パネル２１の画面が切り換わることなく、直接ステップＳ１６へ移行する。
【００６６】
ステップＳ１６において、冷蔵庫１の設定情報に変更の指示があったと判定された場合には（ステップＳ１６でＹＥＳ）、表示制御部２２は、先ず、変更の指示にしたがって表示パネル２１上の画面の表示を変更する（ステップＳ１７）。そして、ステップＳ１８へ移行し、所定時間Ｘが経過した否かの判定を行う。
【００６７】
一方、ステップＳ１６において、冷蔵庫１の設定情報に変更の指示がないと判定された場合には（ステップＳ１６でＮＯ）、表示パネル２１上の画面の表示を変更せずにステップＳ１８へ移行し、所定時間Ｘが経過した否かの判定を行う。なお、ステップＳ１８で所定時間Ｘが経過しないと判定された場合（ステップＳ１８でＮＯ）には、ステップＳ１６へ戻り、所定時間Ｘが経過するまで、冷蔵庫１の設定情報に変更の指示があったか否かの判定を行う。
【００６８】
そして、所定時間Ｘが経過すると（ステップＳ１８でＹＥＳ）、表示制御部２２は、変更された冷蔵庫１の設定情報を本体部２へ送信する（ステップＳ１９）。本体部２の制御部３１は、表示装置２０から送信された冷蔵庫１の設定情報の変更の指示にしたがって、冷蔵庫１内の制御を変更する。例えば、通常モードから節電モードへの切り換えの指示があった場合には、第１の冷蔵室３内の設定温度を変更する。また、本体部２の制御部３１は、表示装置２０から送信された冷蔵庫１の設定情報の変更の指示にしたがって、メモリ３４内に格納されている設定情報に関するデータ（設定情報テーブル５３など）を更新する。
【００６９】
以上の処理によれば、表示制御部２２は、所定時間Ｘが経過するまで、冷蔵庫１の設定情報を本体部２へ送信しない。これにより、ユーザによって冷蔵庫１の設定情報に変更の指示がなされる度に変更された設定情報を本体部２へ送信しなくなり、通信インターフェイス２４および３３でのデータ通信が混雑して処理遅延が発生することを防止できる。所定時間Ｘは、通信インターフェイス２４および３３での通信速度に応じて適宜設定することができる。
【００７０】
続いて、冷蔵室扉１０が閉じられたときに、本体部２から表示装置２０へ識別ＩＤなどが送信される処理の流れについて、図１３を参照しながら説明する。
【００７１】
本実施形態にかかる冷蔵庫１では、上述したように、表示装置２０の操作中に冷蔵室扉１０が開けられると、冷蔵室扉１０（すなわち、表示装置２０）への電源供給が停止されるため、表示装置２０の動作は停止する。その後、冷蔵室扉１０が閉められると、表示装置２０への電源供給が再開される。これにより、表示装置２０は表示可能な状態となる。このとき、冷蔵室扉１０が開けられる前の画面を表示パネル２１に表示することができれば、ユーザは、再度所望の画面を表示させる操作を行う手間を省くことができる。
【００７２】
そこで、表示装置２０では、冷蔵室扉１０が開状態から閉状態へ移行したときに、図１３に示す処理を行って表示パネル２１に画面を表示させる。
【００７３】
この処理では、先ず、表示制御部２２が、本体部２に対して、メモリ３４に記憶されている最新の識別ＩＤを読み出すように要求する（ステップＳ３２）。本体部２の制御部３１は、この要求を受けて、メモリ３４内の画面情報テーブル５２から、最新の識別ＩＤを引き出し、通信インターフェイス３３を介して表示装置２０へ送信する。
【００７４】
また、表示制御部２２は、本体部２に対して、メモリ３４に記憶されている設定情報テーブル５３を読み出すように要求する（ステップＳ３３）。本体部２の制御部３１は、この要求を受けて、メモリ３４内の設定情報テーブル５３を、通信インターフェイス３３を介して表示装置２０へ送信する。
【００７５】
その後、表示制御部２２は、取得した識別ＩＤおよび設定情報に基づいて、所定の画面を表示パネル２１に表示させる（ステップＳ３４）。具体的には、表示制御部２２は、メモリ２６内の画面識別テーブル５１を参照して、本体部２から送信された識別ＩＤに対応する画面を識別する。また、表示制御部２２は、メモリ３４内の設定情報テーブル５３を参照して、識別された画面に盛り込むべき設定情報を抽出する。そして、表示制御部２２は、識別された画面と抽出された設定情報に合致した画面を表示パネル２１に表示させる。
【００７６】
（まとめ）
以上のように、本実施形態にかかる冷蔵庫１では、冷蔵室扉１０が閉状態のときに本体部２から表示装置２０に電源が供給され、かつ、本体部２と表示装置２０との間のデータ通信が可能となる。表示装置２０のメモリ２６には、表示パネル２１に表示される画面情報と、当該画面を識別するための識別情報（識別ＩＤ）とが対応付けて記憶されている（図９参照）。本体部２のメモリ３４には、表示装置２０から送信される画面の識別情報（識別ＩＤ）が記憶されている（図１０参照）。なお。メモリ３４内に記憶されている識別情報は、表示パネル２１に表示される画面が切り換わるにしたがって逐次更新される。
【００７７】
従って、表示パネル２１に表示される画面の識別情報（識別ＩＤ）は、表示装置２０のメモリ２６に記憶させずに、本体部２のメモリ３４に記憶させるため、表示装置２０のメモリ２６の不揮発性メモリに書き込む必要がなくなる。これにより、不揮発性メモリに書き込んでいるタイミングで表示装置２０への給電が停止された場合に、不揮発性メモリの内容が破損するおそれがなくなり、表示装置２０への給電が予期せずに停止しても、表示装置２０のシステムに異常が発生することを防止できる。
【００７８】
そして、冷蔵室扉１０が一旦開けられた後に閉じられ、表示装置２０への通電が再開されたとき、表示装置２０は、本体部２のメモリ３４に記憶されている識別情報を読み出すことで、冷蔵室扉１０が開けられる前の画面を表示させることができる。
【００７９】
これにより、ユーザは、表示装置２０への通電再開後に、再度所望の画面を表示させる操作を行う手間を省くことができる。そのため、表示装置２０の使用時の利便性が向上する。
【００８０】
〔第２の実施形態〕
続いて、本発明の第２の実施形態について説明する。第２の実施形態では、冷蔵室扉１０が閉じられたときの本体部２から表示装置２０へのデータ送信処理の流れが、第１の実施形態とは異なっている。それ以外については、第１の実施形態と同様の構成および方法が適用できる。そこで、以下では、本体部２から表示装置２０へのデータ送信処理の流れを、図１４を参照しながら説明する。
【００８１】
図１４は、第２の実施形態にかかる冷蔵庫１における本体部２から表示装置２０へのデータ送信処理の流れを示すフローチャートである。図１４に示す処理は、冷蔵室扉１０が開状態から閉状態へ移行したタイミングで実行される。
【００８２】
この処理では、先ず、表示制御部２２が、本体部２に対して、メモリ３４に記憶されている最新の識別ＩＤを読み出すように要求する（ステップＳ４２）。本体部２の制御部３１は、この要求を受けて、メモリ３４内の画面情報テーブル５２から、最新の識別ＩＤを引き出し、通信インターフェイス３３を介して表示装置２０へ送信する。
【００８３】
次に、表示制御部２２は、メモリ２６内の画面識別テーブル５１を参照して、本体部２から送信された識別ＩＤに対応する画面を識別する。そして、識別された画面に必要な設定情報を決定する。例えば、ステップＳ４２において、本体部２から識別ＩＤ：００１２が送信された場合には、表示パネル２１には図７の中央の画面が表示すべき画面として選択される。この場合、電動ドアに関する設定情報（入または切）のみが、画面表示に必要な設定情報と判別される。
【００８４】
そこで、表示制御部２２は、本体部２に対して、メモリ３４に記憶されている設定情報テーブル５３の中から、送信された識別ＩＤに該当する画面表示に必要な設定情報のみ（上記の例では、電動ドアに関する設定情報のみ）を要求する（ステップＳ４３）。本体部２の制御部３１は、この要求を受けて、選択された設定情報のみ（上記の例では、電動ドアに関する設定情報のみ）を、通信インターフェイス３３を介して表示装置２０へ送信する。
【００８５】
その後、表示制御部２２は、取得した識別ＩＤおよび設定情報に基づいて、所定の画面を表示パネル２１に表示させる（ステップＳ４４）。具体的には、表示制御部２２は、メモリ２６内の画面識別テーブル５１を参照して、本体部２から送信された識別ＩＤに対応する画面を識別する。そして、表示制御部２２は、識別された画面に、本体部２から送信された設定情報（上記の例では、電動ドアに関する設定情報）を盛り込み、表示パネル２１に画面を表示させる。
【００８６】
その後、表示制御部２２は、全ての設定情報（すなわち、メモリ３４内の設定情報テーブル５３）を送信するように本体部２へ要求する（ステップＳ４６）。
【００８７】
これにより、表示装置２０への通電が再開した時の表示装置２０における処理が終了する。これ以降は、設定情報テーブル５３は、例えば、所定期間ごと（定期的）に本体部２から表示装置２０へ送信される。
【００８８】
以上のように、本実施形態では、表示装置２０への通電再開時には、先ず、送信された識別ＩＤに該当する画面表示に必要な設定情報のみが送信される。これにより、図１４におけるステップＳ４３での通信データ量を減らすことができる。そのため、データ通信速度を向上させることができ、ステップＳ４４での画面表示をより迅速に行うことができる。
【００８９】
〔第３の実施形態〕
続いて、本発明の第３の実施形態について説明する。上述の第１の実施形態では、表示パネル２１に表示される全種類の画面データに対して、一つずつ識別ＩＤが割り当てられており、本体部２へは各画面データに対して割り当てられた識別ＩＤをそのまま送信する例について説明した。これに対して、第３の実施形態では、各画面データに対して割り当てられた識別ＩＤを、表示装置２０側固有の識別ＩＤとして管理し、本体部２とのデータ通信には送信用の識別ＩＤを用いる例について説明する。
【００９０】
第３の実施形態では、表示装置２０のメモリ２６内に、画面識別テーブル５１（図９）に加えて、各画面データの識別ＩＤに対して本体部２への送信用の識別ＩＤを割り当てるためのもう一つのテーブルが格納されている。このテーブルの一例として、図１５には、送信用識別ＩＤ割り当てテーブル２５４を示す。
【００９１】
図１５に示すように、送信用識別ＩＤ割り当てテーブル２５４では、表示装置固有の識別ＩＤと、冷蔵庫１の運転モードと、送信用の識別ＩＤとがそれぞれ対応付けられて格納されている。表示装置固有の識別ＩＤは、第１の実施形態で説明した各画面を識別するための識別ＩＤ（識別情報）に相当する。冷蔵庫１の運転モードには、例えば、通常の冷蔵運転を行う通常モード、冷蔵庫購入時に行われる初期設定を行うためのウエルカムモード、店頭設置時のデモ運転を行うためのデモモードなどが含まれる。
【００９２】
送信用の識別ＩＤは、本体部２側とのデータ通信時に用いられる識別ＩＤである。図１５に示すように、送信用の識別ＩＤは、運転モード別に割り当てられる。つまり、異なる運転モードに対して、同じ識別ＩＤが使用され得る。これにより、送信用識別ＩＤの個数を減らすことができる。すなわち、送信用識別ＩＤのデータ量（バイト数）を減少させることができる。
【００９３】
送信用識別ＩＤを本体部２へ送信する方法については、図１２を参照しながら説明した方法と同様の方法を採用することができる。すなわち、図１２のステップＳ１４において、表示装置２０から本体部２へ送信用識別ＩＤが送信される。
【００９４】
図１６には、表示パネル２１に表示される画面に関連して、本体部２のメモリ３４に格納されているデータの一例（画面情報テーブル２５２）を示す。第１の実施形態で説明した画面情報テーブル５２では、各画面データに対してそれぞれ割り当てられた識別ＩＤが記憶されているのに対し、本実施形態の画面情報テーブル２５２では、送信用識別ＩＤが記憶されている。
【００９５】
ここで、冷蔵室扉１０が閉じられたときに、本体部２から表示装置２０へ送信用識別ＩＤなどが送信され、表示パネル２１に画面が表示される処理の流れについて、図１７を参照しながら説明する。図１７に示す処理は、冷蔵室扉１０が開状態から閉状態へ移行したタイミングで実行される。
【００９６】
この処理では、先ず、表示制御部２２が、本体部２に対して、メモリ３４に記憶されている最新の送信用識別ＩＤを読み出すように要求する（ステップＳ５２）。本体部２の制御部３１は、この要求を受けて、メモリ３４内の画面情報テーブル２５２から、最新の送信用識別ＩＤを引き出し、通信インターフェイス３３を介して表示装置２０へ送信する。例えば、図１６に示す画面情報テーブル２５２の場合には、最新の送信用識別ＩＤである「０２」が送信される。
【００９７】
また、表示制御部２２は、本体部２に対して、現在の冷蔵庫１の運転モードを問い合わせる（ステップＳ５３）。本体部２の制御部３１はこの問合せ指令を受けて、現在の冷蔵庫１の運転モードに関する情報を表示装置２０へ送信する。例えば、現在の運転モードが「Ａ」である場合には、その旨が表示装置２０へ送信される。
【００９８】
ここで、表示制御部２２は、メモリ２６内の送信用識別ＩＤ割り当てテーブル２５４を参照して、本体部２から送信された送信用識別ＩＤおよび運転モードに対応する識別ＩＤを抽出する（ステップＳ５４）。例えば、送信用識別ＩＤが「０２」であり、運転モードが「Ａ」の場合には、表示装置固有の識別ＩＤとして「０１２」が抽出される（図１５参照）。
【００９９】
その後、表示制御部２２は、メモリ２６内の画面識別テーブル５１を参照して、抽出された表示装置固有の識別ＩＤに対応する画面を選択する。そして、第２の実施形態と同様に、選択された画面に必要な設定情報を決定する。
【０１００】
その後、表示制御部２２は、本体部２に対して、メモリ３４に記憶されている設定情報テーブル５３の中から、抽出された識別ＩＤに該当する画面表示に必要な設定情報を要求する（ステップＳ５５）。本体部２の制御部３１は、この要求を受けて、選択された設定情報のみを、通信インターフェイス３３を介して表示装置２０へ送信する。
【０１０１】
その後、表示制御部２２は、取得した識別ＩＤおよび設定情報に基づいて、所定の画面を表示パネル２１に表示させる（ステップＳ５６）。具体的には、表示制御部２２は、メモリ２６内の画面識別テーブル５１を参照して、本体部２から送信された識別ＩＤに対応する画面を識別する。そして、表示制御部２２は、識別された画面に、本体部２から送信された設定情報を盛り込み、表示パネル２１に画面を表示させる。
【０１０２】
その後、表示制御部２２は、全ての設定情報（すなわち、メモリ３４内の設定情報テーブル５３）を送信するように本体部２へ要求する（ステップＳ５８）。
【０１０３】
これにより、表示装置２０への通電が再開した時の表示装置２０における処理が終了する。以降は、設定情報テーブル５３は、例えば、所定期間ごと（定期的）に本体部２から表示装置２０へ送信される。
【０１０４】
以上のように、本実施形態では、冷蔵庫１の運転モード単位で送信用の識別ＩＤが割り振られている。そのため、より少ない送信用識別ＩＤの個数でより多種類の画面の識別を行うことができる。また、表示装置２０と本体部２との間の通信に利用される送信用識別ＩＤのデータ量を小さく抑えることができる。
【０１０５】
なお、送信用識別ＩＤの割り当てに関する他の方法として、一連の遷移画面に関しては、一つの送信用識別ＩＤを割り当てるようにすることもできる。例えば、図８に示す製氷皿の製氷手順を説明する一連の遷移画像に対して、同一の送信用識別ＩＤを割り当てることもできる。
【０１０６】
この場合、冷蔵室扉１０への通電再開時には、通電が停止する直前にどの画面番号が表示されているかに関わらず、一連の遷移画面の初期画面（画面番号：０１の画面）が表示パネル２１に表示するように制御することができる。これにより、画面の種類ごとに割り当てられる送信用識別ＩＤの個数を減らすことができ、送信用識別ＩＤのデータ量（バイト数）を減少させることができる。
【０１０７】
〔第４の実施形態〕
続いて、本発明の第４の実施形態について説明する。上述の第１の実施形態では、表示パネル２１に表示される全種類の画面データに対して、一つずつ識別ＩＤが割り当てられるものの、冷蔵庫１の設定情報による表示内容の違い（例えば、設定情報が入（ＯＮ）／切（ＯＦＦ）何れであるか）については、識別ＩＤでは判別しない例について説明した。これに対して、第４の実施形態では、冷蔵庫１の設定情報による表示内容の違いに関しても識別ＩＤによって識別可能な構成例について説明する。
【０１０８】
図１８には、表示パネル２１に表示される画面に関連して、メモリ２６に格納されているデータの一例（画面識別テーブル３５１）を示す。図１８に示す画面識別テーブル３５１では、表示パネル２１に表示される各画面が、画面を識別するための識別ＩＤ（識別情報）と対応付けて記憶されている。
【０１０９】
図１８に示す画面識別テーブル３５１と図９に示す画面識別テーブル５１とを比較すると、画面識別テーブル３５１には、設定情報が入（ＯＮ）または切（ＯＦＦ）の何れであるかについての内容が含まれている点が相違点である。これは、例えば、節電設定に関する画面（図６の右側に示す画面）のような冷蔵庫１内の各種モードの設定変更を行う画面において、現在の設定が入（ＯＮ）または切（ＯＦＦ）の何れになっているかを示すものである。
【０１１０】
図９に示す画面識別テーブル５１では、節電設定に関する画面に対しては、設定情報が入（ＯＮ）または切（ＯＦＦ）の何れであるかに関わらず、一つの識別ＩＤ：００２が割り当てられる。一方、図１８に示す画面識別テーブル３５１では、節電設定に関する画面に関して、設定情報が入（ＯＮ）の場合の画面には識別ＩＤ：００２が割り当てられ、設定情報が切（ＯＦＦ）の場合の画面には識別ＩＤ：００３が割り当てられる。
【０１１１】
ここで、第４の実施形態において、表示装置２０から本体部２に対して、表示パネル２１の表示画面に対応した識別ＩＤを送信する方法について、図１９を参照しながら説明する。
【０１１２】
図１２に示す処理と同様に、表示装置２０の表示制御部２２は、表示パネル２１に画面が表示されているか否かを判定する（ステップＳ６２）。
【０１１３】
表示パネル２１に画面が表示されると（ステップＳ６２でＹＥＳ）、表示制御部２２は、画面遷移の指示が出されたか否かを判定する（ステップＳ６３）。
【０１１４】
画面遷移の指示があった場合には（ステップＳ６３でＹＥＳ）、表示制御部２２は、遷移後の画面の識別ＩＤを本体部２へ送信する（ステップＳ６４）。本体部２へ送信された識別ＩＤは、メモリ３４へ送られる。ここで、メモリ３４内の画面情報テーブル５２の内容が更新される。
【０１１５】
その後、表示制御部２２は、表示パネル２１の画面を、送信した識別ＩＤに該当する画面へ遷移させる（ステップＳ６５）。
【０１１６】
次に、表示制御部２２は、遷移後の表示画面において、操作部２５が操作されることによって冷蔵庫１の設定情報に変更の指示があったか否かを判定する（ステップＳ６６）。なお、ステップＳ６３において、画面遷移の指示がなかった場合には（ステップＳ６３でＮＯ）、表示パネル２１の画面が切り換わることなく、直接ステップＳ６６へ移行する。
【０１１７】
ステップＳ６６において、冷蔵庫１の設定情報に変更の指示があったと判定された場合には（ステップＳ６６でＹＥＳ）、表示制御部２２は、先ず、変更の指示にしたがって表示パネル２１上の画面の表示を変更する（ステップＳ６７）。第１の実施形態では、このときの表示画面の識別ＩＤに変更はないが、本実施形態では、画面上で設定内容が切り換わったことにより、表示画面の識別ＩＤが変更される。その後、ステップＳ６８へ移行し、所定時間Ｘが経過した否かの判定を行う。
【０１１８】
一方、ステップＳ６６において、冷蔵庫１の設定情報に変更の指示がないと判定された場合には（ステップＳ６６でＮＯ）、表示パネル２１上の画面の表示を変更せずにステップＳ６８へ移行し、所定時間Ｘが経過した否かの判定を行う。なお、ステップＳ６８で所定時間Ｘが経過しないと判定された場合（ステップＳ６８でＮＯ）には、ステップＳ６６へ戻り、所定時間Ｘが経過するまで、冷蔵庫１の設定情報に変更の指示があったか否かの判定を行う。
【０１１９】
そして、所定時間Ｘが経過すると（ステップＳ６８でＹＥＳ）、設定変更により遷移した画面に対応する識別ＩＤを本体部２へ送信する（ステップＳ６９）。本体部２へ送信された識別ＩＤは、メモリ３４へ送られる。ここで、メモリ３４内の画面情報テーブル５２（図１０参照）の内容が更新される。
【０１２０】
その後、表示制御部２２は、変更された冷蔵庫１の設定情報を本体部２へ送信する（ステップＳ７０）。本体部２の制御部３１は、表示装置２０から送信された冷蔵庫１の設定情報の変更の指示にしたがって、冷蔵庫１内の制御を変更する。また、本体部２の制御部３１は、表示装置２０から送信された冷蔵庫１の設定情報の変更の指示にしたがって、メモリ３４内に格納されている設定情報に関するデータ（設定情報テーブル５３（図１１参照）など）を更新する。
【０１２１】
以上のように、表示パネル２１の表示画面を識別するための識別ＩＤは、設定情報の違いによって別個に割り当てることもできる。
【０１２２】
なお、本明細書では、冷蔵庫の扉に表示装置を備えている構成について説明した。しかし、本明細書中で説明した扉の構造は、冷蔵庫だけではなく、扉に表示装置を備えている収納庫、保温庫などに適用することもできる。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１２４】
１      ：冷蔵庫
２      ：本体部
１０    ：冷蔵室扉
２０    ：表示装置
２１    ：表示パネル
２２    ：表示制御部
２３    ：受電部
２４    ：（扉側）通信インターフェイス
２６    ：（表示装置側）メモリ
３１    ：制御部
３２    ：給電部
３３    ：（本体側）通信インターフェイス
３４    ：（本体側）メモリ
【図１】
2019045125.tif 000003
【図２】
2019045125.tif 000004
【図３】
2019045125.tif 000005
【図４】
2019045125.tif 000006
【図５】
2019045125.tif 000007
【図６】
2019045125.tif 000008
【図７】
2019045125.tif 000009
【図８】
2019045125.tif 000010
【図９】
2019045125.tif 000011
【図１０】
2019045125.tif 000012
【図１１】
2019045125.tif 000013
【図１２】
2019045125.tif 000014
【図１３】
2019045125.tif 000015
【図１４】
2019045125.tif 000016
【図１５】
2019045125.tif 000017
【図１６】
2019045125.tif 000018
【図１７】
2019045125.tif 000019
【図１８】
2019045125.tif 000020
【図１９】
2019045125.tif 000021